(57)【特許請求の範囲】
【請求項１】
設定を保持する設定保持部と、
前記設定保持部に保持されている設定に基づいて自装置の動作を制御する制御部と、
前記制御部に制御されて画像形成する画像形成部と、
ネットワークに接続して通信する第１通信部と、
相手方と１：１に接続されて通信する第２通信部と、
一括設定指示を受信した場合に、その受信が前記第１通信部で行われたか前記第２通信部で行われたかを判断する接続判断部と、
前記一括設定指示の受信が前記第２通信部で行われたことを前記接続判断部の判断結果が示す場合に、前記一括設定指示に従って、前記ネットワークに接続されている一括設定対象の画像形成装置が保持する設定を、前記第１通信部を使用して前記ネットワーク経由でそれらの画像形成装置にアクセスして変更する一括設定処理を行う一括設定部と、
前記一括設定処理の履歴を作成して保持する履歴管理部と、
を有し、
前記一括設定部は、一括設定対象の画像形成装置が登録されたリストを保持し、前記一括設定処理を実行した際に前記リストに登録されている画像形成装置の中で前記変更が成されていない画像形成装置を前記リストと前記履歴管理部が保持している履歴との比較から認識し、前記変更が成されていない画像形成装置がある場合は、その画像形成装置を対象にして前記一括設定処理を再度行う
ことを特徴とする画像形成装置。
【請求項２】
前記一括設定指示の送信元のユーザが、前記ネットワークに接続されている画像形成装置に対して一括設定を行う権限を有するか否かを判断する権限判断部をさらに有し、
前記一括設定部は、前記権限判断部の判断結果が否定の場合は、前記一括設定指示に基づく前記一括設定処理を行わない
ことを特徴とする請求項１に記載の画像形成装置。
【請求項３】
前記ネットワーク上で一括設定対象の画像形成装置を検索する検索部をさらに備え、
前記一括設定部は、前記検索部が見つけ出した画像形成装置を対象に前記一括設定処理を行う
ことを特徴とする請求項１または２に記載の画像形成装置。
【請求項４】
前記一括設定部は、自装置が他装置から設定変更の指示を受けている場合は、前記一括設定処理を実行しない
ことを特徴とする請求項１乃至３のいずれか１つに記載の画像形成装置。
【請求項５】
前記一括設定部は、前記ネットワークに接続されて複数の画像形成装置が保持する設定の変更および管理を行う管理装置が自装置に接続している場合は、前記一括設定指示に基づく前記一括設定処理を実行しない
ことを特徴とする請求項１乃至４のいずれか１つに記載の画像形成装置。
【請求項６】
前記一括設定処理の結果を前記管理装置に送信する報告部をさらに有する
ことを特徴とする請求項５に記載の画像形成装置。
【請求項７】
設定を保持する設定保持部と、前記設定保持部に保持されている設定に基づいて自装置の動作を制御する制御部と、前記制御部に制御されて画像形成する画像形成部と、ネットワークに接続して通信する第１通信部と、相手方と１：１に接続されて通信する第２通信部とを有する画像形成装置で実行されるプログラムであって、
一括設定指示を受信した場合に、その受信が前記第１通信部で行われたか前記第２通信部で行われたかを判断する接続判断ステップと、
前記一括設定指示の受信が前記第２通信部で行われたことを前記接続判断ステップの判断結果が示す場合に、前記一括設定指示に従って、前記ネットワークに接続されている一括設定対象の画像形成装置が保持する設定を、前記第１通信部を使用して前記ネットワーク経由でそれらの画像形成装置にアクセスして変更する一括設定処理を行う一括設定ステップと、
前記一括設定処理の履歴を作成して保持する履歴管理ステップと、
を有し、
一括設定対象の画像形成装置が登録されたリストを保持しておき、
前記一括設定ステップでは、前記一括設定処理を実行した際に前記リストに登録されている画像形成装置の中で前記変更が成されていない画像形成装置を前記リストと前記一括設定処理の履歴との比較から認識し、前記変更が成されていない画像形成装置がある場合は、その画像形成装置を対象にして前記一括設定処理を再度行う
ことを特徴とするプログラム。
【請求項８】
前記一括設定指示の送信元のユーザが、前記ネットワークに接続されている画像形成装置に対して一括設定を行う権限を有するか否かを判断する権限判断ステップをさらに有し、
前記権限判断ステップの判断の結果が否定の場合は、前記一括設定ステップを行わない
ことを特徴とする請求項７に記載のプログラム。
【請求項９】
前記ネットワーク上で一括設定対象の画像形成装置を検索する検索ステップをさらに有し、
前記検索ステップで見つけ出した画像形成装置を対象に前記一括設定ステップを行う
ことを特徴とする請求項７または８に記載のプログラム。
【請求項１０】
当該プログラムを実行している画像形成装置が他装置から設定変更の指示を受けている場合は、前記一括設定処理を実行しない
ことを特徴とする請求項７乃至９のいずれか１つに記載のプログラム。
【請求項１１】
前記ネットワークに接続されて複数の画像形成装置が保持する設定の変更および管理を行う管理装置が、当該プログラムを実行している画像形成装置に接続している場合は、前記一括設定処理を実行しない
ことを特徴とする請求項７乃至１０のいずれか１つに記載のプログラム。
【請求項１２】
前記一括設定処理の結果を前記管理装置に送信する報告ステップをさらに有する
ことを特徴とする請求項１１に記載のプログラム。
【発明の詳細な説明】
【技術分野】
【０００１】
本発明は、複数の画像形成装置に対して一括設定を行う機能を備えた画像形成装置およびそのプログラムに関する。
【背景技術】
【０００２】
複合機などの画像形成装置は、オフィス等では、ＬＡＮ（Local Area Network）などのネットワークに複数台が接続されて使用されることが多い。このような場合、同じ設定をそれぞれの画像形成装置に対して個別に行うと手間を要する。
【０００３】
そのため、ネットワークを介して複数の画像形成装置に設定変更の指示を一括送信し、複数の画像形成装置に対して各種の設定を一度に行う機能を備えた管理装置が提案されている（たとえば、下記特許文献１参照）。
【先行技術文献】
【特許文献】
【０００４】
【特許文献１】特開２０１０−２１８３８４号公報
【発明の概要】
【発明が解決しようとする課題】
【０００５】
何らかの障害が発生したような場合に、サービスマンが持参したモバイル端末から複数の画像形成装置に対して一括設定を行いたい場合がある。このような場合、複数の画像形成装置が接続されている社内のネットワークにサービスマンの持参したモバイル端末を接続し、該モバイル端末から複数の画像形成装置の設定を一括して変更できれば、円滑に設定作業を進めることができる。
【０００６】
しかし、セキュリティ上、社内のネットワークに外部の者がアクセスできない場合がある。その場合、サービスマンは持参したモバイル端末を、WiFi-Directなどの近距離無線通信を利用して、１台の画像形成装置に１：１の排他的接続を行ってその画像形成装置の設定を変更するといった作業を、複数の画像形成装置のそれぞれに対して個別に行わなければならなかった。
【０００７】
本発明は、上記の問題を解決しようとするものであり、複数の画像形成装置が接続されているネットワークに接続できない端末からそのネットワークに接続されている複数の画像形成装置に対して一括設定できるように補助することのできる画像形成装置およびそのプログラムを提供することを目的としている。
【課題を解決するための手段】
【０００８】
かかる目的を達成するための本発明の要旨とするところは、次の各項の発明に存する。
【０００９】
［１］設定を保持する設定保持部と、
前記設定保持部に保持されている設定に基づいて自装置の動作を制御する制御部と、
前記制御部に制御されて画像形成する画像形成部と、
ネットワークに接続して通信する第１通信部と、
相手方と１：１に接続されて通信する第２通信部と、
外部端末から一括設定指示を受信した場合に、その受信が前記第１通信部で行われたか前記第２通信部で行われたかを判断する接続判断部と、
前記一括設定指示の受信が前記第２通信部で行われたことを前記接続判断部の判断結果が示す場合に、前記一括設定指示に従って、前記ネットワークに接続されている一括設定対象の画像形成装置が保持する設定を、前記第１通信部を使用して前記ネットワーク経由でそれらの画像形成装置にアクセスして変更する一括設定処理を行う一括設定部と、
前記一括設定処理の履歴を作成して保持する履歴管理部と、
を有し、
前記一括設定部は、一括設定対象の画像形成装置が登録されたリストを保持し、前記一括設定処理を実行した際に前記リストに登録されている画像形成装置の中で前記変更が成されていない画像形成装置を前記リストと前記履歴管理部が保持している履歴との比較から認識し、前記変更が成されていない画像形成装置がある場合は、その画像形成装置を対象にして前記一括設定処理を再度行う
ことを特徴とする画像形成装置。
【００１０】
上記発明および下記［７］に記載の発明では、排他的な通信方法で接続された端末から一括設定指示を受信した場合は、ネットワークに接続されている複数の画像形成装置に対して、その一括設定指示に従って自装置から一括設定を行う。一括設定対象の画像形成装置は予め登録されていてもよいし、ネットワークを検索して見つけ出してもよい。また、一括設定対象の画像形成装置が省電力中であった等の理由で一括設定されなかった場合に、その画像形成装置を対象にして、一括設定処理が後に再実行される。
【００１１】
［２］前記一括設定指示の送信元のユーザが、前記ネットワークに接続されている画像形成装置に対して一括設定を行う権限を有するか否かを判断する権限判断部をさらに有し、
前記一括設定部は、前記権限判断部の判断結果が否定の場合は、前記一括設定指示に基づく前記一括設定処理を行わない
ことを特徴とする［１］に記載の画像形成装置。
【００１２】
上記発明および下記［１０］に記載の発明では、受信した一括設定指示の送信元の外部端末のユーザの一括設定を行う権限を認証し、権限が無い場合は、一括設定を拒否する。
【００１３】
［３］前記ネットワーク上で一括設定対象の画像形成装置を検索する検索部をさらに備え、
前記一括設定部は、前記検索部が見つけ出した画像形成装置を対象に前記一括設定処理を行う
ことを特徴とする［１］または［２］に記載の画像形成装置。
【００１７】
［４］前記一括設定部は、自装置が他装置から設定変更の指示を受けている場合は、前記一括設定処理を実行しない
ことを特徴とする［１］乃至［３］のいずれか１つに記載の画像形成装置。
【００１８】
上記発明および下記［１０］に記載の発明では、他の装置から指示された一括設定との衝突を回避する。
【００１９】
［５］前記一括設定部は、前記ネットワークに接続されて複数の画像形成装置が保持する設定の変更および管理を行う管理装置が自装置に接続している場合は、前記一括設定指示に基づく前記一括設定処理を実行しない
ことを特徴とする［１］乃至［４］のいずれか１つに記載の画像形成装置。
【００２０】
上記発明および下記［１１］に記載の発明では、管理装置から指示された一括設定との衝突を回避する。
【００２１】
［６］前記一括設定処理の結果を前記管理装置に送信する報告部をさらに有する
ことを特徴とする［５］に記載の画像形成装置。
【００２２】
上記発明および下記［１２］に記載の発明では、管理装置は一括設定の整合をとることが可能になる。
【００２３】
［７］設定を保持する設定保持部と、前記設定保持部に保持されている設定に基づいて自装置の動作を制御する制御部と、前記制御部に制御されて画像形成する画像形成部と、ネットワークに接続して通信する第１通信部と、相手方と１：１に接続されて通信する第２通信部とを有する画像形成装置で実行されるプログラムであって、
外部端末から一括設定指示を受信した場合に、その受信が前記第１通信部で行われたか前記第２通信部で行われたかを判断する接続判断ステップと、
前記一括設定指示の受信がが前記第２通信部で行われたことを前記接続判断ステップの判断結果が示す場合に、前記一括設定指示に従って、前記ネットワークに接続されている一括設定対象の画像形成装置が保持する設定を、前記第１通信部を使用して前記ネットワーク経由でそれらの画像形成装置にアクセスして変更する一括設定処理を行う一括設定ステップと、
前記一括設定処理の履歴を作成して保持する履歴管理ステップと、
を有し、
一括設定対象の画像形成装置が登録されたリストを保持しておき、
前記一括設定ステップでは、前記一括設定処理を実行した際に前記リストに登録されている画像形成装置の中で前記変更が成されていない画像形成装置を前記リストと前記一括設定処理の履歴との比較から認識し、前記変更が成されていない画像形成装置がある場合は、その画像形成装置を対象にして前記一括設定処理を再度行う
ことを特徴とするプログラム。
【００２４】
［８］前記一括設定指示の送信元のユーザが、前記ネットワークに接続されている画像形成装置に対して一括設定を行う権限を有するか否かを判断する権限判断ステップをさらに有し、
前記権限判断ステップの判断の結果が否定の場合は、前記一括設定ステップを行わない
ことを特徴とする［７］に記載のプログラム。
【００２５】
［９］前記ネットワーク上で一括設定対象の画像形成装置を検索する検索ステップをさらに有し、
前記検索ステップで見つけ出した画像形成装置を対象に前記一括設定ステップを行う
ことを特徴とする［７］または［８］に記載のプログラム。
【００２８】
［１０］当該プログラムを実行している画像形成装置が他装置から設定変更の指示を受けている場合は、前記一括設定処理を実行しない
ことを特徴とする［７］乃至［９］のいずれか１つに記載のプログラム。
【００２９】
［１１］前記ネットワークに接続されて複数の画像形成装置が保持する設定の変更および管理を行う管理装置が、当該プログラムを実行している画像形成装置に接続している場合は、前記一括設定処理を実行しない
ことを特徴とする［７］乃至［１０］のいずれか１つに記載のプログラム。
【００３０】
［１２］前記一括設定処理の結果を前記管理装置に送信する報告ステップをさらに有する
ことを特徴とする［１１］に記載のプログラム。
【発明の効果】
【００３１】
本発明に係る画像形成装置およびプログラムによれば、複数の画像形成装置が接続されているネットワークに接続できない端末からそのネットワークに接続されている複数の画像形成装置に対して一括設定することができる。
【図面の簡単な説明】
【００３２】
【図１】本発明の第１の実施の形態に係る印刷システムの構成例を示す図である。
【図２】本発明の第１の実施の形態に係る画像形成装置の概略構成を示すブロック図である。
【図３】モバイル端末の概略構成を示すブロック図である。
【図４】一括設定に関して第１の実施の形態に係る画像形成装置が行う処理を示す流れ図である。
【図５】本発明の第２の実施の形態に係る印刷システムの構成例を示す図である。
【図６】本発明の第２の実施の形態に係る第２画像形成装置の概略構成を示すブロック図である。
【図７】第２の実施の形態の画像形成装置が行う、一括設定に関する処理を示す流れ図である。
【図８】一括設定対象の画像形成装置が登録された一括設定対象装置リストの一例を示す図である。
【図９】一括設定の履歴が登録される一括設定履歴テーブルの一例を示す図である。
【図１０】一括設定の再実行に係る処理を示す流れ図である。
【発明を実施するための形態】
【００３３】
以下、図面に基づき本発明の実施の形態を説明する。
【００３４】
＜第１の実施の形態＞
図１は、本発明の第１の実施の形態に係る印刷システム２の構成例を示している。印刷システム２は、ＬＡＮ（Local Area Network）などのネットワーク３に接続された複数台の画像形成装置１０を備えて構成される。ネットワーク３は、サービスマン等が携帯するモバイル端末４０の接続を禁止している。モバイル端末４０は、WiFi-Directなどの排他的（１：１に機器を接続する）通信方法により、いずれか１台の画像形成装置１０と無線接続することができる。以後、画像形成装置１０をＭＦＰとも記す。図１の印刷システム２には、ＭＦＰ１〜ＭＦＰ４の４台が接続されている。
【００３５】
画像形成装置１０は、排他的通信方法によって１：１で接続されているモバイル端末４０から、ネットワーク３に接続されている複数の画像形成装置１０に対して各種設定項目の設定値を一括設定する指示を受けた場合、その指示に従って、複数の画像形成装置１０に対して一括設定を行う機能を果たす。
【００３６】
図２は、画像形成装置１０の概略構成を示すブロック図である。画像形成装置１０は、当該画像形成装置１０の動作を統括的に制御するＣＰＵ(Central Processing Unit)１１を有している。ＣＰＵ１１にはバスを通じてＲＯＭ(Read Only Memory)１２、ＲＡＭ(Random Access Memory)１３、画像読取部１４、画像形成部１５、画像処理部１６、不揮発メモリ１７、ハードディスク装置１８、ネットワーク通信部１９、排他的通信部２１、操作パネル２２などが接続されている。
【００３７】
ＣＰＵ１１は、ＯＳ（Operating System）プログラムをベースとし、その上で、ミドルウェアやアプリケーションプログラムなどを実行する。また、ＲＯＭ１２には、各種のプログラムが格納されており、これらのプログラムに従ってＣＰＵ１１が各種処理を実行することで画像形成装置１０としての各機能が実現される。
【００３８】
ＲＡＭ１３は、ＣＰＵ１１がプログラムに基づいて処理を実行する際に各種のデータを一時的に格納するワークメモリや画像データを格納する画像メモリなどとして使用される。
【００３９】
画像読取部１４は、原稿を光学的に読み取って画像データを取得する機能を果たす。画像読取部１４は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４０】
画像形成部１５は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００４１】
画像処理部１６は、画像の拡大縮小、回転などの処理のほか、印刷ジョブに含まれるファイル（印刷データ）をイメージデータに変換するラスタライズ処理、画像データの圧縮、伸張処理などを行う。
【００４２】
不揮発メモリ１７は、電源をオフにしても記憶内容が破壊されないメモリ（フラッシュメモリ）であり、各種設定項目に対する設定値を保持する設定保持部１７ａとして機能する。
【００４３】
ハードディスク装置１８は、不揮発で大容量の記憶装置であり、各種のプログラム、受信した印刷ジョブなどが記憶される。
【００４４】
ネットワーク通信部１９は、ネットワーク３を通じて他の画像形成装置１０やその他の装置との間で通信する機能を果たす。
【００４５】
排他的通信部２１は、WiFi-Directなどの排他的（１：１に機器を接続する）通信方法によって他の装置と通信する機能を果たす。
【００４６】
操作パネル２２は、表示部２３と、操作部２４を備えている。表示部２３は、液晶ディスプレイ（ＬＣＤ…Liquid Crystal Display）などで構成され、各種の操作画面、設定画面などを表示する機能を果たす。操作部２４は、テンキーやスタートボタンなどのハードキーと、表示部２３の物理的画面上に設けられたタッチパネルとを備えている。タッチパネルは、表示部２３の物理的画面がタッチペンや指などで接触操作された座標位置を検出する。
【００４７】
画像形成装置１０のＣＰＵ１１は、プログラムを実行することで、前述したモバイル端末４０からの指示に基づく一括設定を行う機能等を果たす。詳細には、ＣＰＵ１１は、アクセス可否判定部３０、装置検索部３４、一括設定部３５、制御部３６などの機能を果たす。
【００４８】
アクセス可否判定部３０は、モバイル端末４０から一括設定指示を受けた場合に、この一括設定指示に従って一括設定を実行すべきか否かを判定する。アクセス可否判定部３０は、接続判断部３１と権限判断部３２としての機能を果たす。
【００４９】
接続判断部３１は、モバイル端末４０等の外部端末から一括設定指示を受信した場合に、その外部端末がネットワーク通信部１９（第１通信部）で接続されているか排他的通信部２１（第２通信部）で接続されているかを判断する。
【００５０】
権限判断部３２は、受信した一括設定指示の送信元の外部端末のユーザが、ネットワーク３に接続されている画像形成装置１０に対して一括設定を行う権限を有するか否かを判断する。ここでは、管理者権限を有するか否かを判断する。
【００５１】
装置検索部３４は、ネットワーク３上で、一括設定の対象になる画像形成装置１０を検索する。たとえば、所定のメーカであり、一括設定指示に応じて設定変更する機能を有する画像形成装置１０であって、電源オフやスリープ状態でなく起動されているものを検索して検出する。
【００５２】
一括設定部３５は、モバイル端末４０等から受信した一括設定指示に従って、ネットワーク３に接続されている一括設定対象の画像形成装置１０が保持する設定を変更する一括設定処理を行う。具体的には、一括設定対象の画像形成装置１０に対して、ネットワーク３を介して、設定変更の指示を一括送信して、設定を変更させる。
【００５３】
制御部３６は、設定保持部１７ａに保持されている設定に基づいて自装置の動作を制御する。具体的には、画像読取部１４や画像形成部１５等の各動作を設定保持部１７ａに保持されている設定に基づいて制御する。たとえば、カラー設定として「モノクロ」が設定されていれば、画像読取部１４での読み取りや画像形成部１５での印刷がモノクロで行われるように制御する。
【００５４】
図３は、モバイル端末４０の概略構成を示すブロック図である。モバイル端末４０は、自端末４０の動作を統括的に制御するＣＰＵ４１を有している。ＣＰＵ４１にはバスを通じてＲＯＭ４２、ＲＡＭ４３、不揮発メモリ４４、操作部４５、表示部４６、ネットワーク通信部４７、排他的通信部４８などが接続されている。
【００５５】
ＣＰＵ４１は、ＯＳプログラムをベースとし、その上で、ミドルウェアやアプリケーションプログラムなどを実行する。また、ＲＯＭ４２には、各種のプログラムが格納されており、これらのプログラムに従ってＣＰＵ４１が各種処理を実行することでモバイル端末４０の各機能が実現される。
【００５６】
ＲＡＭ４３は、ＣＰＵ４１がプログラムに基づいて処理を実行する際に各種のデータを一時的に格納するワークメモリとして使用される。
【００５７】
不揮発メモリ４４は、電源をオフにしても記憶内容が破壊されないメモリ（フラッシュメモリ）であり、アプリケーションプログラムや各種の固定データ、設定情報などが保存される。
【００５８】
表示部４６は、液晶ディスプレイなどで構成され、各種の操作画面、設定画面などを表示する機能を果たす。操作部４５は、少数のハードキーと、表示部４６の物理的画面上に設けられたタッチパネルなどで構成される。
【００５９】
ネットワーク通信部４７は、ネットワーク３等に接続して、該ネットワークに接続されている画像形成装置１０やその他の外部装置との間で通信する機能を果たす。
【００６０】
排他的通信部４８は、WiFi-Directなどの排他的（１：１に機器を接続する）通信方法によって他の装置と通信する機能を果たす。モバイル端末４０は、排他的通信部４８を利用して、画像形成装置１０と排他的通信を行うことができる。
【００６１】
モバイル端末４０は、ユーザから一括設定の設定内容の指示や一括設定の実行指示を受けると、これに対応する一括設定指示を、排他的通信部４８によって排他的通信方法で接続されている画像形成装置１０に対して送信する。
【００６２】
なお、モバイル端末４０は、ネットワーク３にネットワーク通信部４７で接続されている場合は、ネットワーク３を通じて各画像形成装置１０に直接、一括設定指示を送信する。ここでは、モバイル端末４０がネットワーク通信部４７を通じて各画像形成装置１０に送信する一括設定指示と、排他的通信部４８で排他的に接続されている画像形成装置１０に送信する一括設定指示は同一である。
【００６３】
画像形成装置１０は、一括設定指示をネットワーク３経由でネットワーク通信部１９が受信した場合は、自装置の設定を一括設定指示に基づいて設定変更する。一方、排他的通信部２１が排他的通信方法によって一括設定指示を受信した場合は、自装置の設定を一括設定指示に基づいて設定変更することに加えて、ネットワーク３に接続されている一括設定対象の各画像形成装置１０に対して一括設定指示を送信して、これらを一括設定する。
【００６４】
次に、モバイル端末４０から一括設定指示を受信した画像形成装置１０の動作をより詳細に説明する。
【００６５】
図４は、一括設定に関して画像形成装置１０が行う処理を示す流れ図である。モバイル端末４０等から一括設定指示を受信すると（ステップＳ１０１；Ｙｅｓ）、該一括設定指示の送信元のモバイル端末４０等のユーザが、ネットワーク３に接続されている他の画像形成装置１０の設定を変更するアクセス権限（管理者権限）を有するか否かを判定する。たとえば、モバイル端末４０から受信されるユーザＩＤに基づいて、所定のアクセス権限テーブルを参照して、該ユーザＩＤのユーザがアクセス権限を有するか否かを判定する（ステップＳ１０２）。
【００６６】
アクセス権限がなければ（ステップＳ１０２；Ｎｏ）、本処理を終了する。アクセス権限があれば（ステップＳ１０２；Ｙｅｓ）、該一括設定指示の送信元のモバイル端末４０等が排他的通信部２１による排他的通信方法によって接続されているか否かを判断する（ステップＳ１０３）。
【００６７】
排他的通信方法によって接続されていない場合（ステップＳ１０３；Ｎｏ）、すなわち、ネットワーク通信部１９によってネットワーク３を介して接続されている場合は、モバイル端末４０等から直接、各画像形成装置１０に対して一括設定を行い得る状態なので、受信した一括設定指示に基づいて自装置の設定を変更して（ステップＳ１１０）、本処理を終了する。他の画像形成装置１０への一括設定は行わない。
【００６８】
排他的通信方法で接続されている場合は（ステップＳ１０３；Ｙｅｓ）、一括設定対象の画像形成装置１０をネットワーク３上で検索する（ステップＳ１０４）。一括設定対象の他の画像形成装置１０が無ければ（ステップＳ１０５；Ｎｏ）、本処理を終了する。なお、この場合でも、受信した一括設定指示に従って自装置の設定は変更する。なお、一括設定対象の画像形成装置１０が既知であれば検索しなくてよい。
【００６９】
一括設定対象の他の画像形成装置１０があれば（ステップＳ１０５；Ｙｅｓ）、自装置が他の画像形成装置１０から一括設定指示を受けている最中か否かを判断する（ステップＳ１０６）。一括設定の衝突を防止するためである。他の画像形成装置１０から一括設定指示を受けている最中ならば（ステップＳ１０６；Ｙｅｓ）、本処理を終了する。
【００７０】
他の画像形成装置１０から一括設定指示を受けている最中でなければ（ステップＳ１０６；Ｎｏ）、一括設定モードを有効化する（ステップＳ１０７）。これにより、受信した一括設定指示に従って、一括設定対象の他の画像形成装置１０に対して自装置から一括設定が行われる。たとえば、受信した一括設定指示をそのまま、一括設定対象の画像形成装置１０にネットワーク３を通じて転送する。これを受信した他の画像形成装置１０は、ネットワーク３を通じて一括設定指示を受信したので、該一括設定指示に従って自装置の設定を変更し、他の画像形成装置１０への一括設定は行わない。
【００７１】
モバイル端末４０等からの一括設定の操作が終了すると（ステップＳ１０８；Ｙｅｓ）、一括設定モードを無効化して（ステップＳ１０９）、本処理を終了する。
【００７２】
以上のように、画像形成装置１０は、モバイル端末４０から一括設定指示を排他的通信方法で受信した場合は、その一括設定指示に従って自装置の設定を変更すると共に、ネットワーク３に接続されている一括設定対象の他の画像形成装置１０に対して一括設定を行う。これにより、モバイル端末４０がネットワーク３に接続できない場合でも、モバイル端末４０は、自端末と排他的通信方法で接続された画像形成装置１０を介してネットワーク３上の複数の画像形成装置１０に対して一括設定を行うことができる。
【００７３】
また、画像形成装置１０は、一括設定指示をネットワーク３を介して受信したか、排他的通信方法で受信したかによって、動作を切り替えるので、モバイル端末４０は、送信する一括設定指示そのものを変更することなく、ネットワーク３を通じた自端末による一括設定と、画像形成装置１０を介した一括設定のいずれにも対応することができる。
【００７４】
＜第２の実施の形態＞
第２の実施の形態において、第１の実施の形態と同一部分については適宜その説明を省略する。
【００７５】
図５は、本発明の第２の実施の形態に係る印刷システム２Ｂの構成例を示している。印刷システム２Ｂは、ネットワーク３に接続された複数台の画像形成装置１０Ｂと、ネットワーク３に接続された管理装置５０を備えて構成される。ネットワーク３は、サービスマン等が携帯するモバイル端末４０の接続を禁止している。モバイル端末４０は、WiFi-Directなどの排他的（１：１に機器を接続する）通信方法により、いずれか１台の画像形成装置１０Ｂと無線接続することができる。
【００７６】
管理装置５０は、ネットワーク３に接続されている複数の画像形成装置１０Ｂの設定を集中管理する機能を備えたサーバである。印刷システム２Ｂの管理者は、管理装置５０を操作して、管理装置５０から各画像形成装置１０Ｂの設定を一括設定する。管理装置５０は、一括設定の履歴を管理している。
【００７７】
画像形成装置１０は、管理装置５０や他の画像形成装置１０Ｂからネットワーク３を通じて一括設定指示を受信した場合は、該一括設定指示に従って自装置の設定を変更する。一方、排他的通信方法によって１：１で接続されているモバイル端末４０から一括設定指示を受信した場合は、その指示に従って、自装置の設定を変更すると共に、ネットワーク３に接続されている一括設定対象の複数の画像形成装置１０に対して一括設定を行う。
【００７８】
図６は、画像形成装置１０Ｂの概略構成を示すブロック図である。第１の実施の形態の画像形成装置１０と同一部分については同じ符号を付してそれらの説明を適宜省略する。ＣＰＵ１１が果たす機能の一部が第１の実施の形態と相違する。
【００７９】
ＣＰＵ１１は、第１の実施の形態の画像形成装置１０と同様に、アクセス可否判定部３０、接続判断部３１、権限判断部３２、装置検索部３４、一括設定部３５、制御部３６の機能を果たし、さらに、履歴管理部３７と管理装置接続検出部３８の機能を果たす。
【００８０】
管理装置接続検出部３８は、管理装置５０から接続を受けている最中か否かを検出する。履歴管理部３７は、排他的通信部２１が受信した一括設定指示に基づいて実行した一括設定の履歴を記憶し管理する。
【００８１】
図７は、第２の実施の形態の画像形成装置１０Ｂが行う、一括設定に関する処理を示す流れ図である。モバイル端末４０等から一括設定指示を受信すると（ステップＳ２０１；Ｙｅｓ）、該一括設定指示の送信元のモバイル端末４０等のユーザが、ネットワーク３に接続されている他の画像形成装置１０の設定を変更するアクセス権限（管理者権限）を有するか否かを判定する（ステップＳ２０２）。
【００８２】
アクセス権限がなければ（ステップＳ２０２；Ｎｏ）、本処理を終了する。アクセス権限があれば（ステップＳ２０２；Ｙｅｓ）、該一括設定指示の送信元のモバイル端末４０等が排他的通信部２１による排他的通信方法によって接続されているか否かを判断する（ステップＳ２０３）。
【００８３】
排他的通信方法で接続されていない場合（ステップＳ１０３；Ｎｏ）、すなわち、ネットワーク通信部１９によってネットワーク３を介して接続されている場合は、受信した一括設定指示に基づいて自装置の設定を変更して（ステップＳ２１２）、本処理を終了する。他の画像形成装置１０への一括設定は行わない。
【００８４】
排他的通信方法で接続されている場合は（ステップＳ２０３；Ｙｅｓ）、一括設定対象の画像形成装置１０Ｂをネットワーク３上で検索する（ステップＳ２０４）。一括設定対象の他の画像形成装置１０Ｂが無ければ（ステップＳ２０５；Ｎｏ）、本処理を終了する。なお、この場合でも、受信した一括設定指示に従って自装置の設定は変更する。
【００８５】
一括設定対象の他の画像形成装置１０Ｂがあれば（ステップＳ２０５；Ｙｅｓ）、自装置が他の画像形成装置１０Ｂから一括設定指示を受けている最中か否かを判断する（ステップＳ２０６）。一括設定の衝突を防止するためである。他の画像形成装置１０Ｂから一括設定指示を受けている最中ならば（ステップＳ１０６；Ｙｅｓ）、本処理を終了する。
【００８６】
他の画像形成装置１０Ｂから一括設定指示を受けている最中でなければ（ステップＳ２１０６；Ｎｏ）、管理装置５０から接続を受けている最中か否かを判断する（ステップＳ２０７）。管理装置５０から接続を受けている場合は（ステップＳ２０７；Ｙｅｓ）、一括設定の衝突を避けるために、本処理を終了する。
【００８７】
管理装置５０から接続を受けていなければ（ステップＳ２０７；Ｎｏ）、一括設定モードを有効化する（ステップＳ２０８）。これにより、受信した一括設定指示に従って、一括設定対象の他の画像形成装置１０Ｂに対して自装置から一括設定が行われる。たとえば、受信した一括設定指示をそのまま、一括設定対象の画像形成装置１０Bにネットワーク３を通じて転送する。これを受信した他の画像形成装置１０Ｂは、ネットワーク３を通じて一括設定指示を受信したので、該一括設定指示に従って自装置の設定をそれぞれ設定変更し、他の画像形成装置１０Ｂへの一括設定は行わない。
【００８８】
モバイル端末４０等からの一括設定の操作が終了すると（ステップＳ２０９；Ｙｅｓ）、今回行った一括設定の履歴を管理装置５０に送信し（ステップＳ２１０）、さらに一括設定モードを無効化して（ステップＳ２１１）、本処理を終了する。一括設定の履歴を管理装置５０に送信することで、管理装置５０において、一括設定の整合を取ることが可能になる。
【００８９】
図８は、一括設定対象の画像形成装置１０Ｂが登録された一括設定対象装置リスト６０である。この例では、ＭＦＰ１〜ＭＦＰ４が一括設定対象の画像形成装置１０Ｂとして登録されている。一括設定対象装置リスト６０には、ステップＳ２０４の検索で見つけ出した画像形成装置１０Ｂを登録する、あるいは、管理者等が手動で一括設定対象の画像形成装置１０Ｂを登録する、あるいは、ステップ２０４の検索を定期的に行って一括設定対象装置リスト６０の登録内容を更新してもよい。一括設定対象装置リスト６０に画像形成装置１０Ｂを登録する方法は任意でよい。
【００９０】
図９は、一括設定の履歴が登録される一括設定履歴テーブル７０である。一括設定履歴テーブル７０には、一括設定の設定アクション毎にその履歴が登録される。具体的には、設定アクション毎に、その設定アクションに対してユニークに付与された一括設定ＩＤと、設定項目と、設定値と、設定元装置と、設定先装置が対応付けて登録される。
【００９１】
図９の例では、一括設定ＩＤが１−１、１−２、１−３の各設定アクションは、「カラー設定」の設定項目の設定値を「モノクロ」に設定変更する設定アクションである。一括設定ＩＤが１−１の設定アクションは設定元装置がＭＦＰ１で設定先装置がＭＦＰ１であり、自装置に対する設定である。一括設定ＩＤが１−２の設定アクションは設定元装置がＭＦＰ１で設定先装置がＭＦＰ２であり、一括設定ＩＤが１−３の設定アクションは設定元装置がＭＦＰ１で設定先装置がＭＦＰ３である。
【００９２】
同様に、一括設定ＩＤが２−１、２−２、２−３の各設定アクションは、「両面設定」の設定項目の設定値を「両面／両面」に設定変更する設定アクションである。一括設定ＩＤが２−１の設定アクションは設定元装置がＭＦＰ１で設定先装置がＭＦＰ１であり、自装置に対する設定である。一括設定ＩＤが２−２の設定アクションは設定元装置がＭＦＰ１で設定先装置がＭＦＰ２であり、一括設定ＩＤが２−３の設定アクションは設定元装置がＭＦＰ１で設定先装置がＭＦＰ３である。
【００９３】
図８の一括設定対象装置リスト６０と図９の一括設定履歴テーブル７０を対比すれば、どの画像形成装置１０Ｂに対して一括設定が完了し、どの画像形成装置１０Ｂに対して一括設定が未完了であるかを認識することができる。具体的には、図８に示す一括設定対象装置リスト６０にはＭＦＰ１〜ＭＦＰ４が一括設定の対象装置として登録されているが、図９に示す一括設定履歴テーブル７０にはＭＦＰ１〜ＭＦＰ３に対する一括設定の履歴は登録されているが、ＭＦＰ４に対する一括設定の履歴は登録されていない。その結果、一括設定対象のうちＭＦＰ４に対する一括設定が未完了であることがわかる。
【００９４】
画像形成装置１０Ｂは、一括設定対象装置リスト６０と一括設定履歴テーブル７０を対比し、一括設定が未完了の画像形成装置１０Ｂがある場合は、その一括設定が未完了の画像形成装置１０Ｂを対象にして一括設定を再実行する。
【００９５】
たとえば、一括設定時のステップ２０４での検索時に、省電力中であった等の理由で見つけ出されずに一括設定の対象にされなかった装置（ＭＦＰ４とする）があったとしても、定期的なポーリング等による検索を行って一括設定対象装置リスト６０を更新する処理を行えば、省電力状態から通常状態に復帰したときにその装置が見つけ出されて一括設定対象装置リスト６０に追加登録される。その結果、一括設定対象装置リスト６０と一括設定履歴テーブル７０に登録されている履歴との対比によって一括設定が未完了の画像形成装置１０Ｂ（ＭＦＰ４）が検出され、該未完了の画像形成装置１０Ｂに対して一括設定が実行される。
【００９６】
一括設定履歴テーブル７０に登録される履歴は、たとえば、モバイル端末４０から受けた一括設定指示に基づいて、一括設定対象のすべての画像形成装置１０Ｂに対する一括設定が完了したときに削除あるいは初期化される。
【００９７】
図１０は、一括設定の再実行に係る処理を示す流れ図である。画像形成装置１０Ｂは、前回の一括設定処理から一定時間が経過すると（ステップＳ３０１；Ｙｅｓ）、一括設定対象装置リスト６０と一括設定履歴テーブル７０を比較して、一括設定が未完了の画像形成装置１０Ｂを検出する（ステップＳ３０２）。
【００９８】
一括設定が未完了の画像形成装置１０Ｂが存在する場合は（ステップＳ３０３；Ｙｅｓ）、一括設定が未完了の画像形成装置１０Ｂを対象に一括設定を実施する（ステップＳ３０４）。そして、ステップＳ３０１に戻って、一定時間の経過を待つ。一方、一括設定が未完了の画像形成装置１０Ｂが存在しなければ（ステップＳ３０３；Ｎｏ）、本処理を終了する。この処理は、たとえば図７のステップＳ２０９とステップ２１０の間で行われる。
【００９９】
第２の実施の形態では、一括設定の履歴（結果）を管理装置５０に送信するので、管理装置５０において一括設定の整合をとることができる。また、一括設定対象装置リスト６０に登録されている画像形成装置１０Ｂの中で一括設定履歴テーブル７０に一括設定の履歴が登録されていない画像形成装置１０Ｂがあれば、その画像形成装置１０Ｂを対象にして一括設定処理を再度行うので、たとえば、最初の一括設定を実行した際に省電力中やスリープ状態であった画像形成装置１０Ｂに対しても漏れなく一括設定を完了することができる。
【０１００】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０１】
一括設定は、複数の画像形成装置１０、１０Ｂに対して一括設定指示をブロードキャストする等によって同時に行ってもよいし、順次、行ってもよい。
【０１０２】
画像形成装置１０は、実施の形態で例示した複合機に限定されるものではなく、単なる印刷装置であってもよい。
【符号の説明】
【０１０３】
２、２Ｂ…印刷システム
３…ネットワーク
１０…画像形成装置
１１…ＣＰＵ
１２…ＲＯＭ
１３…ＲＡＭ
１４…画像読取部
１５…画像形成部
１６…画像処理部
１７…不揮発メモリ
１７ａ…設定保持部
１８…ハードディスク装置
１９…ネットワーク通信部
２１…排他的通信部
２２…操作パネル
２３…表示部
２４…操作部
３０…アクセス可否判定部
３１…接続判断部
３２…権限判断部
３４…装置検索部
３５…一括設定部
３６…制御部
３７…履歴管理部
３８…管理装置接続検出部
４０…モバイル端末
４１…ＣＰＵ
４２…ＲＯＭ
４３…ＲＡＭ
４４…不揮発メモリ
４５…操作部
４６…表示部
４７…ネットワーク通信部
４８…排他的通信部
５０…管理装置
６０…一括設定対象装置リスト
７０…一括設定履歴テーブル
【図１】
0006558539.tif 000002
【図２】
0006558539.tif 000003
【図３】
0006558539.tif 000004
【図４】
0006558539.tif 000005
【図５】
0006558539.tif 000006
【図６】
0006558539.tif 000007
【図７】
0006558539.tif 000008
【図８】
0006558539.tif 000009
【図９】
0006558539.tif 000010
【図１０】
0006558539.tif 000011